(57)【特許請求の範囲】
【請求項１】
屋根部の端部に配設された横樋と、
支柱に支持させて上下方向に延設された竪樋と、
前記横樋に形成されたドレン孔と前記竪樋の上端部に接続され、前記横樋と前記竪樋の雨水流路を連通させる集水器とを備えており、
前記集水器が略ブロック状の略箱状に形成されており、
前記竪樋は、
前記支柱の側面に固着される基台と、
前記基台に係合させて支持され、前記支柱に沿って上下方向に延設される竪樋本体と、を備え、
前記竪樋本体は、断面略コ字状に形成され、両側端部側を前記基台に係合させつつ前記支柱の側面側に配して設けられており、
前記集水器は、雨水流路を形成する底板に開口部が貫通形成されるとともに、前記開口部に着脱可能に取り付けられた蓋部材と、前記集水器の内部に収容され、前記ドレン孔から雨水とともに流入した異物を捕捉する異物捕捉体と、を備え、
前記開口部における前記集水器の内部側に雌ネジ部が設けられ、
前記雌ネジ部に前記蓋部材が着脱自在に螺合され、
前記蓋部材が前記集水器の前記底板に取り付けられた状態で、前記底板と前記蓋部材とが面一になるように構成されていることを特徴とする雨樋装置。
【請求項２】
請求項１記載の雨樋装置において、
前記集水器の底面は、前記竪樋の上端部に向かうに従い漸次下方に傾斜する傾斜面が形成され、
前記雌ネジ部に、スリットが形成されている雨樋装置。
【請求項３】
請求項１または請求項２記載の雨樋装置において、
前記屋根部の端部に配設された前記横樋の雨水流路内に勾配調整部材が設けられ、該勾配調整部材によって前記横樋の雨水流路を形成する底面が前記ドレン孔に向かうに従い漸次下方に傾斜する傾斜面とされており、
前記ドレン孔は、前記支柱の近傍に形成され、
前記集水器は、上端側を前記横樋の前記ドレン孔に、下端側を前記竪樋の上端部側に接続されている雨樋装置。
【発明の詳細な説明】
【技術分野】
【０００１】
本発明は、カーポートなどの建物外部構築物に用いて好適な雨樋装置に関する。
【背景技術】
【０００２】
住宅や店舗などに、カーポート、自転車置き場等の建物外部構築物を設置、増築するケースが増えている。
【０００３】
そして、この種の建物外部構築物は、横方向Ｔ１に間隔をあけて立設された複数の支柱１と、各支柱１の上端部にそれぞれ後端を接続して前後方向Ｔ２に片持ち状態で延設された複数の梁２と、複数の梁２に支持させて横方向Ｔ１に架設し、前後方向Ｔ２に間隔をあけて配設された複数の母屋３と、複数の母屋３で支持して前後方向Ｔ２に架設し、横方向Ｔ１に間隔をあけて配設された複数の垂木４と、垂木４に支持させて設けられ、屋根面を形成する屋根パネル５とを備えて構成されている（図１参照）。
【０００４】
また、屋根部６の後端部側（軒尻を形成する母屋）に後枠７、屋根部６の先端部（軒先を形成する母屋）や屋根部６の両側部側（妻垂木）に前枠８、側枠９を取り付けて構成されている。
【０００５】
一方、このような建物外部構築物には、図９に示すように、後枠７を屋根部６から流れ落ちる雨水（雨水等の水）を受ける横樋とし、この横樋７と、支柱１に支持させつつ支柱１に沿って上下方向Ｔ３に設置される竪樋１０と、横樋７のドレン孔１１に繋げて配設されるドレンエルボ（集水器、排水ドレン）１２と、竪樋１０の上端部とドレンエルボ１２（横樋７）を繋ぐ呼び樋１３とからなる雨樋装置Ａを備えたものがある（例えば、特許文献１参照）。
【０００６】
そして、このような雨樋装置Ａを備えることにより、降雨時に屋根部６から流れ落ちて横樋７に集められた雨水がドレンエルボ１２から呼び樋１３、呼び樋１３から竪樋１０に導水され、竪樋１０の内部を流下して地上等に好適に排出される。
【０００７】
また、図９及び図１０に示すように、ドレンエルボ１２は、一般に、横樋７のドレン孔１１に上端部を接続し、鉛直に垂設される円管状のドレン本体部１２ａと、ドレン本体部１２ａの下端部に着脱可能に螺着してドレン本体部１２ａの下端部を閉塞するドレンキャップ１２ｂと、ドレン本体部１２ａの上端部と下端部の間の中間部分に一端を繋げて横方向に延設され、他端を呼び樋１３に接続するエルボ部１２ｃとを備えて形成されている。
【０００８】
そして、このようなドレンエルボ１２を備えることで、雨水とともに落ち葉や塵埃等の異物が横樋７から流下した際に、エルボ部１２ｃの一端が接続されたドレン本体部１２ａの中間部よりも下端部側で異物を捕捉し、雨水をエルボ部１２ｃから呼び樋１３、竪樋１０に流下させることができる。また、ドレンキャップ１２ｂを外すと、ドレン本体部１２ａの下端部側に溜まった異物を内部から取り除くことができる。
【先行技術文献】
【特許文献】
【０００９】
【特許文献１】特開２０１３−２１３３２２号公報
【発明の概要】
【発明が解決しようとする課題】
【００１０】
しかしながら、上記従来の雨樋装置は、支柱や屋根部（横樋の後枠）に対して竪樋、特にドレンエルボ、呼び樋の一体性がなく、且つドレンエルボのドレン本体の下端部側及びドレンキャップが呼び樋に対して下方に突出するなど凹凸が多く、意匠性の面で改善の余地が残されていた。
【００１１】
また、ドレンエルボが呼び樋の一端の接続部よりもドレン本体の下端部を下方に突出し、この下端部側に落ち葉や塵埃などの異物を溜め、ドレンキャップを取り外すことで異物を外部に排出できるように構成されている。このため、ドレン本体の呼び樋の接続部よりも下端部側には、異物だけでなく雨水も溜まってしまう。これにより、異物を取り出す際にドレンキャップを取り外すと同時に溜まった雨水が排出され作業者にかかるおそれある。このため、清掃作業等の作業性を改善することも望まれていた。
【００１２】
本発明は、上記事情に鑑み、第一に意匠性の向上を図り、第二に排水性能を確保しつつ落ち葉や塵埃などの異物を捕捉し、この異物を好適に外部に取り出すことを可能にする雨樋装置を提供することを目的とする。
【課題を解決するための手段】
【００１３】
上記の目的を達するために、この発明は以下の手段を提供している。
【００１４】
本発明の雨樋装置は、屋根部の端部に配設された横樋と、支柱に支持させて上下方向に延設された竪樋と、前記横樋に形成されたドレン孔と前記竪樋の上端部に接続され、前記横樋と前記竪樋の雨水流路を連通させる集水器とを備えており、前記集水器が略ブロック状の略箱状に形成されており、前記竪樋は、前記支柱の側面に固着される基台と、前記基台に係合させて支持され、前記支柱に沿って上下方向に延設される竪樋本体と、を備え、前記竪樋本体は、断面略コ字状に形成され、両側端部側を前記基台に係合させつつ前記支柱の側面側に配して設けられており、前記集水器は、雨水流路を形成する底板に開口部が貫通形成されるとともに、前記開口部に着脱可能に取り付けられた蓋部材と、前記集水器の内部に収容され、前記ドレン孔から雨水とともに流入した異物を捕捉する異物捕捉体と、を備え、前記開口部における前記集水器の内部側に雌ネジ部が設けられ、前記雌ネジ部に前記蓋部材が着脱自在に螺合され、前記蓋部材が前記集水器の前記底板に取り付けられた状態で、前記底板と前記蓋部材とが面一になるように構成されていることを特徴とする。
【００１５】
また、本発明の雨樋装置において、前記集水器の底面は、前記竪樋の上端部に向かうに従い漸次下方に傾斜する傾斜面が形成され、前記雌ネジ部に、スリットが形成されていることが望ましい。
【００１６】
また、本発明の雨樋装置において、前記屋根部の端部に配設された前記横樋の雨水流路内に勾配調整部材が設けられ、該勾配調整部材によって前記横樋の雨水流路を形成する底面が前記ドレン孔に向かうに従い漸次下方に傾斜する傾斜面とされており、前記ドレン孔は、前記支柱の近傍に形成され、前記集水器は、上端側を前記横樋の前記ドレン孔に、下端側を前記竪樋の上端部側に接続されていることが望ましい。
【発明の効果】
【００１７】
本発明の雨樋装置においては、竪樋が支柱と一体化して構成され、集水器が略ブロック状で略箱状に形成され、呼び樋がなく支柱の近傍に横樋のドレン孔が形成されていることにより、従来の雨樋装置と比較し、大幅に外観を向上させることができる。
【００１８】
また、屋根部を流下した雨水（雪解け水等のあらゆる水を含む）が横樋に集められ、ドレン孔から集水器を通じて竪樋を流下し、地上に排水される。このとき、落ち葉や塵埃等の異物が雨水とともに横樋から流下した場合であっても、ドレン孔の直下に雨水を受けるように異物捕捉体が設けられているため、この異物捕捉体で異物が捕捉され、雨水のみを異物捕捉体から集水器を通じて竪樋に排出することができる。
【００１９】
そして、集水器の底板に着脱可能に設けられた蓋部材を外すことにより、集水器の底板に形成された開口部から異物を外部に取り出すことができる。
【００２０】
このとき、蓋部材が取り付けられた集水器の雨水流路を形成する底面が横樋のドレン孔の直下から竪樋の上端部に向かうに従い漸次下方に傾斜する傾斜面で形成されているため、従来の雨樋装置のように集水器の内部に雨水などの水が溜まることがなく、蓋部材を取り外した際に雨水が開口部から流れ出ることがない。よって、清掃などのメンテナンスを好適に行うことができる。
【００２１】
また、本発明の雨樋装置においては、屋根部の端部に配設された横樋の雨水流路内に勾配調整部材が設けられ、該勾配調整部材によって前記横樋の雨水流路を形成する底面がドレン孔に向かうに従い漸次下方に傾斜する傾斜面とされていることにより、例えばドレン孔を竪樋が支持された支柱の近傍に設けた場合であっても、横樋の端部側に雨水が溜まることがなく、好適に排水を行うことが可能になる。
【図面の簡単な説明】
【００２２】
【図１】本発明の一実施形態に係る雨樋装置を備える建物外部構築物を示す斜視図である。
【図２】本発明の一実施形態に係る雨樋装置を示す上方側からの斜視図である。
【図３】本発明の一実施形態に係る雨樋装置を示す下方側からの斜視図である。
【図４】本発明の一実施形態に係る雨樋装置の竪樋を示す断面図である。
【図５】本発明の一実施形態に係る雨樋装置の集水器を示す側断面図である。
【図６】本発明の一実施形態に係る雨樋装置の集水器の蓋部材を示す斜視図である。
【図７】本発明の一実施形態に係る雨樋装置の横樋に勾配調整部材を設置した状態を示す平面図である。
【図８】本発明の一実施形態に係る雨樋装置の横樋に勾配調整部材を設置した状態を示す側断面図である。
【図９】従来の雨樋装置を示す下方側からの斜視図である。
【図１０】従来の雨樋装置のメンテナンス作業状況を示す図である。
【発明を実施するための形態】
【００２３】
以下、図１から図８を参照し、本発明の一実施形態に係る雨樋装置について説明する。
【００２４】
ここで、本実施形態では、本発明の雨樋装置が例えばカーポートなどの建物外部構築物の屋根部から流下する雨水（雪解け水などの屋根部を流下するあらゆる水を含む）を下方に導水して好適に地上に排水する雨樋装置であるものとして説明を行う。
【００２５】
具体的に、本実施形態の建物外部構築物Ｂは、図１に示すように、横方向Ｔ１に所定の間隔をあけて立設された複数の支柱１と、各支柱１の上端部にそれぞれ後端を接続して前後方向Ｔ２に片持ち状態で延設された複数の梁２と、複数の梁２に支持させて横方向Ｔ１に架設し、前後方向Ｔ２に間隔をあけて配設された複数の母屋３と、複数の母屋３に支持させて前後方向Ｔ２に架設し、横方向Ｔ１に間隔をあけて配設された複数の垂木４と、垂木４に支持させて設けられ、屋根面を形成する屋根パネル５とを備えて構成されている。
【００２６】
また、屋根部６の後端部側に後枠７、屋根部６の先端部や屋根部６の両側部側に前枠８、側枠９を取り付けて構成されている。
【００２７】
一方、本実施形態の雨樋装置Ｃは、図２及び図３に示すように、横樋７と、竪樋１５と、集水器１６とを備え、従来の呼び樋１３を具備せずに構成されている。
【００２８】
本実施形態の横樋７は、屋根部６の後端側に取り付けられた後枠で構成されている。また、本実施形態では、妻支柱１から横方向Ｔ１外側に屋根部６が張り出しており、これにより、後枠の横樋７も妻支柱１から外側に張り出して配設されている。そして、本実施形態では、従来のように横樋７に対して張出部６ａの端部側にドレン孔１１を設け、この妻支柱１から離間したドレン孔１１と竪樋１０を呼び樋１３で接続するのではなく、横樋７の妻支柱１の近傍位置にドレン孔１１が形成されている。
【００２９】
本実施形態の竪樋１５は、図２から図４に示すように、支柱１の側面に固着される基台１７と、基台１７に係合させて支持され、支柱１に沿って上下方向Ｔ３に延設される竪樋本体１８とを備えて構成されている。また、本実施形態の竪樋本体１８は、断面略コ字状に形成され、両側端部側を基台１７に係合させつつ支柱１の側面側に配して設けられている。これにより、支柱１の側面と竪樋本体１８の内面の間に上下方向Ｔ３に連通する雨水流路Ｒが形成されるとともに、竪樋本体１８が支柱１に一体化し、意匠性が確保されている。
【００３０】
また、本実施形態では、図２に示すように、竪樋本体１８の下端にアタッチメント１９が取り付けられ、このアタッチメント１９に一端を接続して排水管を設けるなどし、竪樋１５の雨水流路Ｒを流下して導水した雨水を地上、集水枡などに排水できるように構成されている。
【００３１】
本実施形態の集水器１６は、図２、図３、図５に示すように、略ブロック状の箱状に形成されており、上端側を横樋７のドレン孔１１に、下端側を竪樋１５の上端部側に接続し、横樋７と竪樋１５に連通する雨水流路Ｒを形成している。
【００３２】
また、この集水器１６は、図５に示すように、その内部に横樋７のドレン孔１１から流下する雨水を受けるように籠状（あるいはネット状）の異物捕捉体２０が収容されている。さらに、集水器１６は、雨水流路Ｒの底面（集水器１６の底板）１６ａが横樋７のドレン孔１１と異物捕捉体２０の直下から竪樋１５の上端部に向かうに従い漸次下方に傾斜する傾斜面で形成されている。すなわち、この集水器１６の雨水流路Ｒの底面１６ａは、横樋７のドレン孔１１と異物捕捉体２０の直下から竪樋１５の上端部に向かうに従い漸次上方に傾斜する傾斜面や上方に突出する段面を設けずに形成されている。なお、例えば、雌ネジ部２２にスリット、孔、隙間などを設けることで、雌ネジ部２２に雨水が溜まることがないように構成されている。
【００３３】
さらに、図５、図６に示すように、集水器１６の雨水流路Ｒを形成する底板には、横樋７のドレン孔１１と異物捕捉体２０の直下に位置する部分に開口部１６ｂが設けられ、この開口部１６ｂを開閉するための蓋部材２１が着脱可能に取り付けられている。また、開口部１６ｂを挟んで底板１６ａの内面（底面）側には雌ネジ部２２が設けられ、この雌ネジ部２２に螺合することで開口部１６ｂを閉塞して蓋部材２１を取り付けできるように構成されている。
【００３４】
そして、上記構成からなる本実施形態の雨樋装置Ｃにおいては、竪樋１５が支柱１と一体化して構成され、集水器１６が略ブロック状で略箱状に形成され、呼び樋１３がなく支柱１の近傍に横樋７のドレン孔１１が形成されていることにより、従来の雨樋装置と比較し、大幅に外観を向上させることができる。
【００３５】
また、屋根部６を流下した雨水が横樋７に集められ、ドレン孔１１から集水器１６を通じて竪樋１５、排水管を流下し、地上に排水される。このとき、落ち葉や塵埃等の異物が雨水とともに横樋７から流下した場合であっても、ドレン孔１１の直下に雨水を受けるように籠状（網状）の異物捕捉体２０が設けられているため、この異物捕捉体２０で異物が捕捉され、雨水のみが異物捕捉体２０から集水器１６を通じて竪樋１５に排出される。
【００３６】
そして、集水器１６の底板１６ａに着脱可能に設けられた蓋部材２１を外すと、集水器１６の底板１６ａに形成された開口部１６ｂから雌ネジ部２２、さらに雌ネジ部２２を通じて異物捕捉体２０を臨むことができる。これにより、異物捕捉体２０で捕捉された異物を開口部１６ｂから取り出すことができる。
【００３７】
また、このとき、蓋部材２１が取り付けられた集水器１６の底板１６ａ及び集水器１６の雨水流路Ｒを形成する底面が横樋７のドレン孔１１と異物捕捉体２０の直下から竪樋１５の上端部に向かうに従い漸次下方に傾斜する傾斜面で形成されている。
【００３８】
これにより、従来の雨樋装置のように集水器の内部に雨水などの水が溜まることがなく、蓋部材２１を取り外した際に雨水が開口部１６ｂから流れ出ることがない。よって、清掃などのメンテナンスを好適に行うことができる。
【００３９】
ここで、本実施形態の雨樋装置Ｃのように、横樋７の支柱１の近傍にドレン孔１１を設けると、意匠性を向上させることが可能になる。一方、本実施形態のように屋根部６が妻支柱１から横方向Ｔ１外側に張り出していると、積雪等によって横樋７の張り出し方向の端部側（自由端側）が変形して下がってしまい、この張出部６ａの横樋７の端部側に雨水が溜まって排水されなくなることも考えられる。
【００４０】
これに対し、本実施形態の雨樋装置Ｃにおいては、図７及び図８に示すように、横樋７の張出部６ａの内部に勾配調整部材２３を設置し、この部分の雨水流路Ｒの勾配を横樋７の端部側からドレン孔１１に向かうに従い漸次下方に傾斜するようにする。これにより、ドレン孔１１を支柱１の近傍に設けた場合であっても、横樋７の端部側に雨水が溜まることがなく、好適に排水を行うことが可能になる。
【００４１】
以上、本発明に係る雨樋装置の一実施形態について説明したが、本発明は上記の一実施形態に限定されるものではなく、その趣旨を逸脱しない範囲で適宜変更可能である。
【００４２】
また、本実施形態では、本発明に係る雨樋装置が支柱に梁を片持ち状態で接続した建物外部構築物に設置されるものとして説明を行った。これに対し、例えば、２台用（複数台用）のカーポートなど、屋根部の両側部にそれぞれ配置した一対の支柱に梁を架設する場合（梁の両端を支柱に固定支持する場合）に本発明に係る雨樋装置を適用しても勿論構わない。そして、この場合においても、本実施形態と同様の作用効果を得ることができる。
【符号の説明】
【００４３】
１      支柱
２      梁
３      母屋
４      垂木
５      屋根パネル
６      屋根部
７      横樋（後枠）
８      前枠
９      側枠
１０    竪樋
１１    ドレン孔
１２    ドレンエルボ
１２ａ  ドレン本体部
１２ｂ  ドレンキャップ
１２ｃ  エルボ部
１３    呼び樋
１５    竪樋
１６    集水器
１６ａ  底面（底板）
１６ｂ  開口部
１７    基台
１８    竪樋本体
１９    アタッチメント
２０    異物捕捉体
２１    蓋部材
２２    雌ネジ部
２３    勾配調整部材
Ａ      従来の雨樋装置
Ｂ      建物外部構築物
Ｃ      雨樋装置
Ｒ      雨水流路
Ｔ１    横方向
Ｔ２    横方向（前後方向）
Ｔ３    上下方向
【図１】
0006546383.tif 000002
【図２】
0006546383.tif 000003
【図３】
0006546383.tif 000004
【図４】
0006546383.tif 000005
【図５】
0006546383.tif 000006
【図６】
0006546383.tif 000007
【図７】
0006546383.tif 000008
【図８】
0006546383.tif 000009
【図９】
0006546383.tif 000010
【図１０】
0006546383.tif 000011